(57)【要約】【課題】音楽再生装置により音声データを再生する場合の音楽再生装置とコードレス電話装置との連携、特に子機を有効活用した連携を向上できるコードレス電話装置を提供する。【解決手段】少なくとも１台のコードレス電話子機とコードレス電話親機とを含むコードレス電話装置であって、前記コードレス電話親機は、音楽再生装置との間でデータを無線通信する第１の無線通信部と、前記音楽再生装置からの音声データを所定の音声品質に変換する音質変換部と、前記コードレス電話子機との間でデータを無線通信する第２の無線通信部と、前記音質変換部が出力する音声データを前記第２の無線通信部を介して前記コードレス電話子機へ送信するように動作する制御部と、を備える。【選択図】図７
2015109537.tif 000002
【特許請求の範囲】
【請求項１】
少なくとも１台のコードレス電話子機とコードレス電話親機とを含むコードレス電話装置であって、
前記コードレス電話親機は、音楽再生装置との間でデータを無線通信する第１の無線通信部と、
前記音楽再生装置からの音声データを所定の音声品質に変換する音質変換部と、
前記コードレス電話子機との間でデータを無線通信する第２の無線通信部と、
前記音質変換部が出力する音声データを前記第２の無線通信部を介して前記コードレス電話子機へ送信するように動作する制御部と、
を備えるコードレス電話装置。
【請求項２】
前記コードレス電話親機は、操作部、記憶部を更に備え、前記所定の音声品質は前記操作部により設定情報として前記記憶部に記憶されることを特徴とする請求項１に記載のコードレス電話装置。
【請求項３】
前記コードレス電話親機は、記憶部を更に備え、前記所定の音声品質は前記コードレス電話子機または前記音楽再生装置から設定情報として受信して前記記憶部に記憶されることを特徴とする請求項１に記載のコードレス電話装置。
【請求項４】
前記音質変換部が出力する音声データは、前記第２の無線通信部で使用される制御データと一緒にフレーム化されて前記コードレス電話子機にブロードキャストで送信されることを特徴とする請求項２または請求項３に記載のコードレス電話装置。
【請求項５】
前記コードレス電話子機にブロードキャストで送信されるフレームには所定の子機を指定する情報が含まれ、前記コードレス電話子機は自身が所定の子機に指定されている場合に前記送信された音声データの再生を行うことを特徴とする請求項４に記載のコードレス電話装置。
【請求項６】
前記所定の子機は設定情報として前記記憶部に記憶されることを特徴とする請求項５に記載のコードレス電話装置。
【請求項７】
前記制御部は前記音質変換部が出力する音声データがステレオ音声場合に前記音質変換部が出力する音声データをＬ（左）／Ｒ（右）に分離できることを特徴とする請求項６に記載のコードレス電話装置。
【請求項８】
前記所定の子機に前記音質変換部が出力する音声データのＬ（左）／Ｒ（右）のどちらの音声データを送信するかは設定情報として前記記憶部に記憶されることを特徴とする請求項７に記載のコードレス電話装置。
【請求項９】
前記音楽再生装置からの音声データはストリーミング形式であることを特徴とする請求項１から８に記載のコードレス電話装置。
【請求項１０】
前記音楽再生装置からの音声データは前記音楽再生装置が外部サーバから受信するものであることを特徴とする請求項１から９に記載のコードレス電話装置。
【請求項１１】
前記音楽再生装置からの音声データは前記音楽再生装置のアラーム音であることを特徴とする請求項１から６に記載のコードレス電話装置。
【請求項１２】
前記コードレス電話親機は、音声データを音声出力するスピーカと、前記第１の無線通信部により受信された前記音楽再生装置からの音声データを再生して前記スピーカに出力する音声処理部を更に備え、前記制御部は、前記音楽再生装置の状態を管理し、前記第１の無線通信部を介して前記音楽再生装置を遠隔制御し、前記コードレス電話子機を、前記第２の無線通信部を介して、前記音楽再生装置を遠隔制御するための操作部として動作させることを特徴とする請求項１に記載のコードレス電話装置。
【請求項１３】
前記音質変換部は、前記コードレス電話装置が通話処理を開始すると、前記音楽再生装置からの音声データを所定の音声品質に変換するときに前記通話処理を開始する前の音量よりも音量を下げることを特徴とする請求項１に記載のコードレス電話装置。
【請求項１４】
前記音質変換部は、前記コードレス電話装置が通話処理を終了すると、前記音楽再生装置からの音声データを所定の音声品質に変換するときに前記通話処理を終了する前の音量よりも音量を上げることを特徴とする請求項１３に記載のコードレス電話装置。
【請求項１５】
少なくとも１台のコードレス電話子機含むコードレス電話装置のコードレス電話親機であって、
前記コードレス電話親機は、音楽再生装置との間でデータを無線通信する第１の無線通信部と、
前記音楽再生装置からの音声データを所定の音声品質に変換する音質変換部と、
前記コードレス電話子機との間でデータを無線通信する第２の無線通信部と、
前記音質変換部が出力する音声データを前記第２の無線通信部を介して前記コードレス電話子機へ送信するように動作する制御部と、
を備えるコードレス電話親機。
【請求項１６】
少なくとも１台のコードレス電話子機とコードレス電話親機とを含むコードレス電話装置の制御方法であって、
前記コードレス電話親機と音楽再生装置との間でデータを無線通信する第１の無線通信ステップと、
前記音楽再生装置からの音声データを所定の音声品質に変換する音声変換ステップと、
前記コードレス電話子機との間でデータを無線通信する第２の無線通信ステップと、
前記音声変換ステップによって出力される音声データを前記第２の無線通信ステップにより前記コードレス電話子機へ送信するステップと、
を備えるコードレス電話装置の制御方法。
【請求項１７】
少なくとも１台のコードレス電話子機を含むコードレス電話装置のコードレス電話親機の制御方法であって、
前記コードレス電話親機と音楽再生装置との間でデータを無線通信する第１の無線通信ステップと、
前記音楽再生装置からの音声データを所定の音声品質に変換する音声変換ステップと、
前記コードレス電話子機との間でデータを無線通信する第２の無線通信ステップと、
前記音声変換ステップによって出力される音声データを前記第２の無線通信ステップにより前記コードレス電話子機へ送信するステップと、
を備えるコードレス電話装置のコードレス電話親機の制御方法。
【発明の詳細な説明】
【技術分野】
【０００１】
本発明は、コードレス電話装置、コードレス電話装置の親機及びコードレス電話装置の制御方法に関する。
【背景技術】
【０００２】
近年、様々な音楽を再生する機能を備えた携帯型音楽プレーヤが広く普及し、音楽プレーヤに専用の外部スピーカを接続し、音楽プレーヤの楽曲を、より大音量で愉しむことができる。携帯型音楽プレーヤには、専用の音楽プレーヤ以外に、携帯電話端末（例えば、スマートホン、携帯電話端末）に音楽プレーヤの機能が搭載される場合もある。
【０００３】
特許文献１では、携帯型音楽プレーヤに関する従来技術として、携帯型音楽プレーヤと専用の外部スピーカユニットとを無線受信パックを介して接続する技術を提案している。
【０００４】
また、一般的な家庭内、オフィス内には、固定電話回線と接続可能なコードレス電話装置が設置される場合が多い。コードレス電話装置に関する従来技術が特許文献２及び特許文献３に開示されている。
【０００５】
特許文献２では、ＰＨＳ（Ｐｅｒｓｏｎａｌ  Ｈａｎｄｙ−Ｐｈｏｎｅ  Ｓｙｓｔｅｍ）の技術を用いて、携帯電話機の通信モードを公衆モード又は自営モードに切り替えるコードレス電話システムが開示されている。このコードレス電話システムは、屋外では携帯電話機として、宅内ではコードレス電話機の子機として、１つの携帯端末を併用可能である。
【０００６】
特許文献３では、電話網制御回路とデジタル無線通信部を備えた親機に、無線ＩＰ電話端末を接続し、無線ＩＰ電話端末をインターネット無線電話器として利用する電話機システムが開示されている。電話網制御回路は固定電話網通信部に相当する。デジタル無線通信部は無線ＬＡＮ通信部に相当する。無線ＩＰ電話端末は、子機に相当する。
【先行技術文献】
【特許文献】
【０００７】
【特許文献１】特開２００７−３３６５１１号公報
【特許文献２】特開２０００−２５３４４８号公報
【特許文献３】特開２００６−０２５０２０号公報
【発明の概要】
【発明が解決しようとする課題】
【０００８】
しかしながら、特許文献２、３のＰＨＳ端末、若しくは、無線ＩＰ電話端末に音楽プレーヤ機能を搭載させた電話端末をコードレス電話装置の子機として利用することは可能であるが、特許文献１の音楽プレーヤの外部スピーカとして、特許文献２、３のコードレス電話装置を利用するものではなく、コードレス電話装置とは別個に専用の外部スピーカを購入する必要がある。
【０００９】
また、特許文献１〜３の技術では、音楽プレーヤによる音楽再生時に、音楽プレーヤとコードレス電話機との連携、特に子機を有効活用した連携が不十分である。
【００１０】
本発明は、上記事情に鑑みてなされたものであり、音楽再生装置により音声データを再生する場合の音楽再生装置とコードレス電話装置との連携、特に子機を有効活用した連携を向上できるコードレス電話装置、コードレス電話装置の親機及びコードレス電話装置の制御方法を提供する。
【課題を解決するための手段】
【００１１】
本発明のコードレス電話装置は、少なくとも１台のコードレス電話子機とコードレス電話親機とを含むコードレス電話装置であって、前記コードレス電話親機は、音楽再生装置との間でデータを無線通信する第１の無線通信部と、前記音楽再生装置からの音声データを所定の音声品質に変換する音質変換部と、前記コードレス電話子機との間でデータを無線通信する第２の無線通信部と、前記音質変換部が出力する音声データを前記第２の無線通信部を介して前記コードレス電話子機へ送信するように動作する制御部と、を備える。
【発明の効果】
【００１２】
本発明によれば、コードレス電話装置の親機に搭載する高度なコーデックを子機には搭載せずとも、子機で携帯型音楽プレーヤの音楽を再生できるコードレス電話装置を提供できる。また、子機を増設する事で、各部屋で同時に音楽再生ができ、また再生する子機を選ぶこともできる。また、子機２台を使用し、携帯型ステレオ出力（簡易ステレオスピーカ）にもできるコードレス電話装置を提供できる。
【図面の簡単な説明】
【００１３】
【図１】第１の実施形態におけるコードレス電話システムの構成例を示すブロック図
【図２】第１の実施形態におけるコードレス電話親機の構成例を示すブロック図
【図３】第１の実施形態におけるコードレス電話子機の構成例を示すブロック図
【図４】第１の実施形態におけるコードレス電話装置と携帯型音楽プレーヤとが連携する場合の第１動作例を示すシーケンス図
【図５】（Ａ）〜（Ｃ）第１の実施形態におけるコードレス電話子機における状態変化と画面遷移との関係の一例を表す模式図
【図６】第２の実施形態におけるコードレス電話親機の記憶部に記憶された設定情報の一例を示す図
【図７】第２の実施形態におけるコードレス電話装置と携帯型音楽プレーヤとが連携する場合の第２動作例を示すシーケンス図
【図８】第３の実施形態におけるコードレス電話装置と携帯型音楽プレーヤとが連携する場合の第３動作例を示すシーケンス図
【発明を実施するための形態】
【００１４】
以下、本発明の実施形態について、図面を参照して説明する。
【００１５】
（本発明の一形態を得るに至った経緯）
特許文献１の技術では、例えば家庭内で望ましい環境で音楽を試聴するためには、ユーザは専用の外部スピーカユニットを購入する必要がある。また、外部スピーカユニットは音響を出力するのみであり、例えば音質、音量を改善することは困難である。
【００１６】
また、例えば、外部スピーカユニットと携帯型音楽プレーヤとを接続するために、携帯型音楽プレーヤを外部スピーカユニットに載置（ドッキング）した場合、携帯型音楽プレーヤの操作性が低下する。例えば、ユーザが各種操作（例えば、音量の調整、楽曲の選択、再生開始／停止の操作）を行う場合、ユーザは音響を聴いている位置から外部スピーカユニットの近くまで移動し、携帯型音楽プレーヤを操作する必要がある。
【００１７】
外部スピーカユニットとして、特許文献２，３に示したようなコードレス電話装置を用いることができれば好ましい。しかし、仮にコードレス電話装置を携帯型音楽プレーヤの外部スピーカユニットとして単純に適用しても、外部スピーカユニットを用いる場合の携帯型音楽プレーヤの操作性は変化しない。
【００１８】
また、仮にコードレス電話装置を携帯型音楽プレーヤの外部スピーカユニットとして単純に適用しても、子機を外部スピーカユニットとして用いる場合には親機と同じ高機能なコーデックを搭載する必要がある。
【００１９】
また、仮に、携帯型音楽プレーヤにより再生された音楽をコードレス電話装置のスピーカから出力中に、コードレス電話において電話の発着信が発生することが考えられる。この場合、コードレス電話装置における音楽の再生音が、通話を妨げる可能性がある。
【００２０】
以下、音楽再生装置により音声データを再生する場合の音楽再生装置とコードレス電話装置との連携を向上できるコードレス電話装置及び制御方法について説明する。
【００２１】
（第１の実施形態）
図１は、第１の実施形態におけるコードレス電話装置を含むコードレス電話システム１の構成例を示す模式図である。以下では、「コードレス電話」を「ＣＤＬ」と略記することもある。
【００２２】
ＣＤＬシステム１は、ＣＤＬ装置１０及び携帯型音楽プレーヤ３０を含む。ＣＤＬ装置１０は、ＣＤＬ親機１００とＣＤＬ子機２００（２００Ａ，２００Ｂ）とを含む。図１では、ＣＤＬ装置１０に２台のＣＤＬ子機２００Ａ、２００Ｂが含まれるが、ＣＤＬ子機の数は１台または３台以上でも良い。
【００２３】
ＣＤＬ親機１００は、固定電話網４０の電話回線に接続される。ＣＤＬ親機１００とＣＤＬ子機２００との間は無線接続されるので、ＣＤＬ子機２００の位置は例えば宅内において自由に移動できる。
【００２４】
ＣＤＬ親機１００は、固定電話網４０を経由して他の電話装置７０と接続され、各種通信（例えば通話）を実施する。ＣＤＬ子機２００は、ＣＤＬ親機１００及び固定電話網４０を経由して他の電話装置と接続され、各種通信（例えば通話）を実施する。
【００２５】
ＣＤＬ装置１０は、ＣＤＬ親機１００とＣＤＬ子機２００との間の無線通信の方式は、公知のコードレス電話装置で使用されている方式を採用すれば良く、例えば、１．９ＧＨｚ帯を使用するＰＨＳ方式、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）方式や、２．４ＧＨｚ帯を使用するＷＤＣＴ（Ｗｏｒｌｄｗｉｄｅ  Ｄｉｇｉｔａｌ  Ｃｏｒｄｌｅｓｓ  Ｔｅｌｅｐｈｏｎｅ）方式等がある。
【００２６】
ＣＤＬ親機１００は、携帯型音楽プレーヤ３０と連携する機能を有する。携帯型音楽プレーヤ３０は、例えば、音楽再生専用の携帯端末、又は音楽再生用のアプリケーションが組み込まれた携帯端末を含む。この携帯端末は、例えば、携帯電話端末又はスマートホンを含む。携帯型音楽プレーヤ３０の代わりに、据え置き型の音楽プレーヤを用いてもよい。
【００２７】
ＣＤＬ親機１００と携帯型音楽プレーヤ３０との間の無線通信の方式は、宅内での近距離無線通信技術として利用されている通信方式であれば良く、例えば、ＩＥＥＥ８０２．１５．１の方式（Ｂｌｕｅｔｏｏｔｈ（登録商標））、ＩＥＥＥ８０２．１１の方式（無線ＬＡＮ）、又はＩＥＥＥ８０２．１５．４の方式（Ｚｉｇｂｅｅ（登録商標））を含むが、以降のＣＤＬ親機１００と携帯型音楽プレーヤ３０との間の無線通信方式は、Ｂｌｕｅｔｏｏｔｈ（登録商標）によって無線接続して連携動作する例について説明する。
【００２８】
携帯型音楽プレーヤ３０が音声データ（オーディオデータ）を再生する場合、音声データをＣＤＬ親機１００が備えるスピーカ１２９，１３０から音声出力（音響として出力）してもよい。つまり、ＣＤＬ親機１００のスピーカ１２９，１３０を、携帯型音楽プレーヤ３０の外部スピーカとして使用できる。
【００２９】
携帯型音楽プレーヤ３０により再生される音声データは、例えば、音楽（楽曲）のデータ、会話が録音された音声のデータ、周囲音のデータ、その他の一般的な音楽プレーヤにより再生可能な音に関するデータを広く含む。
【００３０】
携帯型音楽プレーヤ３０が音声データを再生する場合、ＣＤＬ子機２００がＣＤＬ親機１００を経由して携帯型音楽プレーヤ３０を遠隔操作してもよい。つまり、ＣＤＬ子機２００を携帯型音楽プレーヤ３０のリモコンとして使用できる。
【００３１】
次に、ＣＤＬ親機１００の構成例について説明する。
【００３２】
図２はＣＤＬ親機１００の構成例に示すブロック図である。
【００３３】
ＣＤＬ親機１００は、固定電話回線Ｉ／Ｆ（インタフェース）部１０１、記憶部１０３、音声入出力制御部１０４、操作部１０５、表示部１０６、ＣＤＬ無線Ｉ／Ｆ部１０７、及びＣＤＬプロトコル制御部１０８を備える。ＣＤＬ親機１００は、親機制御部１０９、無線ＬＡＮ制御部１２１、無線ＬＡＮ通信Ｉ／Ｆ部１２２、Ｂｌｕｅｔｏｏｔｈ
（登録商標）制御部１２３、及びＢｌｕｅｔｏｏｔｈ（登録商標）通信Ｉ／Ｆ部１２４を備える。ＣＤＬ親機１００は、留守番電話制御部１２５、子機／携帯端末充電部１２６、ＵＳＢ（Ｕｎｉｖｅｒｓａｌ  Ｓｅｒｉａｌ  Ｂｕｓ）通信Ｉ／Ｆ部１２７、マイクロホン（ＭＩＣ）１０ａ、及びスピーカ（ＳＰＫ−Ｌ，ＳＰＫ−Ｒ）１２９，１３０を備える。
【００３４】
親機制御部１０９は、呼制御部１１０、子機リモコン制御部１１１、音声ストリーム処理部１１２、及び音楽プレーヤ制御部１１３を含む。
【００３５】
固定電話回線Ｉ／Ｆ部１０１は、回線制御回路（ＮＣＵ：Ｎｅｔｗｏｒｋ  Ｃｏｎｔｒｏｌ  Ｕｎｉｔ）及びモデムを含む。ＮＣＵは、電話回線の制御を行い、例えば、固定電話網４０からの着呼を検出し、発呼時に固定電話網４０を捕捉接続する。モデムは、例えば、着呼時に固定電話網４０からの発信者番号情報等を受信する。なお、固定電話回線Ｉ／Ｆ部１０１は、回線制御回路の構成によって、アナログ電話回線との接続に限定するものでなく、ＩＳＤＮ回線、およびＩＰ電話回線等のデジタル電話回線に接続できる。
【００３６】
記憶部１０３は、揮発性メモリ（ＲＡＭ）と不揮発性メモリ（ＲＯＭ／ＥＰＲＯＭ等）を含んで構成される。記憶部１０３は、各種プログラム、及び、各種情報（例えば、ＣＤＬ装置１０の動作条件を定める各種パラメータ、電話帳情報、発着信履歴情報）を記憶する。
【００３７】
音声入出力制御部１０４は、音声バスからのデジタル信号化された音声データをアナログ変換してスピーカ１２９，１３０への出力制御、および、親機制御部１０９からの指示による音量出力制御、音質制御を行う。また、マイクロホン１２８から受信したアナログ音声をデジタル音声化して音声バスへの送信制御を行う。マイクロホン１２８及びスピーカ１２９，１３０を用いて、ハンズフリー通話を行う場合に使用される。また、スピーカ１２９，１３０に出力される音声信号には、通話音声以外に、例えば、着信音、携帯型音楽プレーヤ３０から取得された音声データが含まれ、着信音の出力や、携帯型音楽プレーヤの外部スピーカとして使用される。なお、スピーカ１２９，１３０からは、音声入出力制御部１０４が受信した音声データによって、ステレオ音またはモノラル音が出力される。
【００３８】
操作部１０５は、例えば、ユーザが操作可能な複数のボタンを含み、操作入力を受け付ける。ボタンには、例えば、発信時のダイヤル入力に必要なダイヤルキー、音楽プレーヤ連携制御のための再生キー／停止キー／一時停止キー等の各種機能が割り当てられたファンクションキー、スピーカからの音量を調整する音量調整キー、表示部１０６の表示位置に対応付けられ表示されている機能を起動するためのソフトキー、が含まれる。
【００３９】
表示部１０６は、液晶ディスプレイとそのドライバを含んで構成され、各種情報（例えば、電話番号、通信先又は通信元の情報、操作案内情報）を表示する。
【００４０】
ＣＤＬ無線Ｉ／Ｆ部１０７は、ＣＤＬ子機２００との間において無線通信するための送受信回路を含む。図示しないが、ＣＤＬ無線Ｉ／Ｆ部１０７は、ＲＦ（Ｒａｄｉｏ  Ｆｒｅｑｕｅｎｃｙ）部で、アンテナを介して無線信号の送受信を行う。
【００４１】
ＣＤＬプロトコル制御部１０８は、ＣＤＬ子機２００との間でデータを送受信するプロトコルスタック部で、ＣＤＬ子機２００との間の制御プロトコル（例えば、ＤＥＣＴプロトコル方式、ＰＨＳプロトコル方式）に従ったプロトコル制御を行う。
【００４２】
親機制御部１０９は、例えば、マイクロコンピュータを主体とするハードウェアを含んで構成され、予め組み込まれたプログラムを実行することにより、親機制御部１０９が有する各種機能を実現する。親機制御部１０９は、ＣＤＬ親機１００全体を制御する。
【００４３】
呼制御部１１０は、操作部１０５、固定電話回線Ｉ／Ｆ部１０１又はＣＤＬプロトコル制御部１０８（ＣＤＬ子機２００）から通知されたイベント又は各種メッセージを処理し、ＣＤＬ親機１００に発生した呼の状態管理、及び呼接続を行う。また、呼制御部１１０では、着信音の出力／停止の制御や、後述する子機リモコン制御部１１１または音楽プレーヤ制御部１１３に、各種内部イベント（子機からのキー入力、携帯型音楽プレーヤ３０への遠隔制御指示等）を通知することによって、例えば、固定電話網４０からの着呼を検知すると携帯型音楽プレーヤ３０から受信した音声データのスピーカ１２９への出力を停止させ、着信音を出力する制御を行う。
【００４４】
子機リモコン制御部１１１は、ＣＤＬ子機２００が携帯型音楽プレーヤ３０を遠隔操作するための操作部として動作するよう制御する。例えば、子機リモコン制御部１１１は、ＣＤＬ子機２００が携帯型音楽プレーヤ３０のリモコンとして動作する場合、リモコン操作を補助するリモコン画面の情報を編集し、ＣＤＬ子機２００へ送信する。リモコン画面情報は、例えば、遠隔操作により携帯型音楽プレーヤ３０に指示する処理と、当該処理を実行させるためのＣＤＬ子機２００の操作部１４４におけるキーとの対応関係に基づいて、生成される。
【００４５】
子機リモコン制御部１１１は、ＣＤＬ無線Ｉ／Ｆ部１０７を介して受信されたＣＤＬ子機２００からのキーの情報を呼制御部１１０経由で取得し、表示中のリモコン画面情報においてキーと対応づけられた携帯型音楽プレーヤ３０のリモコン操作（例えば、再生、停止、一時停止）の情報を取得し、音楽プレーヤ制御部１１３へ該当のリモコン操作に対応する遠隔制御情報を通知する。また、子機リモコン制御部１１１は、ＣＤＬ子機２００のキー操作が、音量アップ／ダウンのキー操作であれば、音量アップ又は音量ダウンの指示を音声入出力制御部１０４へ指示する。
【００４６】
音声ストリーム処理部１１２は、携帯型音楽プレーヤ３０から音声ストリーム通信のための接続手順制御を行い、携帯型音楽プレーヤ３０から送出された音声ストリームデータをスピーカ１２９，１３０に出力するために、Ｂｌｕｅｔｏｏｔｈ（登録商標）制御部１２３から音声入出力制御部１０４への音声パスを形成させる。なお、Ｂｌｕｅｔｏｏｔｈ（登録商標）制御部１２３から音声入出力制御部１０４への音声パスは、Ｂｌｕｅｔｏｏｔｈ（登録商標）制御部１２３と音声入出力制御部１０４との間に音声ストリーム処理部１１２でバッファリングして形成しても良いし、音声ストリーム処理部１１２を経由せずに、Ｂｌｕｅｔｏｏｔｈ（登録商標）制御部１２３から音声入出力制御部１０４への音声バスを経由する音声パスを形成しても良い。
【００４７】
また、音声ストリームデータを無線ＬＡＮ通信Ｉ／Ｆ部１２２経由で受信する場合は、一旦、音声ストリーム処理部１１２で音声ストリームデータをバッファリングし、音声バスを経由して音声入出力制御部１０４への音声パスを形成する。
【００４８】
音声ストリーム通信のための接続手順には、Ｂｌｕｅｔｏｏｔｈ（登録商標）であれば、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）が、一般的であるが、ＲＴＳＰ（Ｒｅａｌ  Ｔｉｍｅ  Ｓｔｒｅａｍｉｎｇ  Ｐｒｏｔｏｃｏｌ）等の他の音声ストリーミング用プロトコルを採用してもよい。
【００４９】
音楽プレーヤ制御部１１３は、携帯型音楽プレーヤ３０の状態管理し、携帯型音楽プレーヤ３０を遠隔制御する。音楽プレーヤ制御部１１３は、例えば、携帯型音楽プレーヤ３０を遠隔操作するための遠隔制御情報（例えば、再生、停止、一時停止）を、無線回線を介して、携帯型音楽プレーヤ３０に送信させる。
【００５０】
遠隔制御情報は、例えば、ＣＤＬ親機１００の操作部１０５を介して操作入力された情報に応じて生成されてもよいし、ＣＤＬ子機２００の操作部１４４を介して操作入力された情報に応じて生成されてもよい。
【００５１】
なお、携帯型音楽プレーヤ３０をＣＤＬ親機１００から遠隔制御するための通信手順には、相互の装置間で独自に制御メッセージを取り決めて行ってもよいが、Ｂｌｕｅｔｏｏｔｈ（登録商標）機器間であれば、ＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）を用いて行うことが可能である。
【００５２】
無線ＬＡＮ制御部１２１、無線ＬＡＮ通信Ｉ／Ｆ部１２２は、ＩＥＥＥ８０２．１１、即ち無線ＬＡＮの規格に従って、外部の無線ＬＡＮ機器と接続して、データ通信する。
【００５３】
Ｂｌｕｅｔｏｏｔｈ（登録商標）通信Ｉ／Ｆ部１２４は、アンテナを介してＢｌｕｅｔｏｏｔｈ（登録商標）規格の無線信号を送受信するＲＦ部で、Ｂｌｕｅｔｏｏｔｈ（登録商標）制御部１２３は、ＲＦ部への制御指示、通信リンク制御、パケット制御等のベースバンド制御である。
【００５４】
Ｂｌｕｅｔｏｏｔｈ（登録商標）通信Ｉ／Ｆ部１２４は、ＣＤＬ親機１００と携帯型音楽プレーヤ３０との間の無線通信のために、Ｂｌｕｅｔｏｏｔｈ（登録商標）によって無線接続している。
【００５５】
留守番電話制御部１２５は、例えば、留守番電話メッセージを記憶し、メッセージの録音及び再生を制御する。
【００５６】
子機／携帯端末充電部１２６は、例えば、ＣＤＬ子機２００、携帯型音楽プレーヤ３０、又はその他の携帯端末に搭載された充電池を充電する。子機／携帯端末充電部１２６は、充電対象の端末を載置するドッキング部と充電端子を設けて、充電しても良いし、ワイヤレス給電の標準規格であるＱｉ（チー）規格等に対応した充電部として、ワイヤレス給電しても良い。
【００５７】
ＵＳＢ通信Ｉ／Ｆ部１２７は、ＵＳＢ規格に対応した各種機器（例えば携帯型音楽プレーヤ３０）をＣＤＬ親機１００に接続する通信インタフェースである。ＵＳＢ通信Ｉ／Ｆ部１２７は、例えば、ＣＤＬ子機２００又は携帯型音楽プレーヤ３０へ給電する給電部として動作してもよい。
【００５８】
図２では、ステレオ型スピーカとして２つのスピーカ１２９，１３０が示されているが、１つのスピーカとしたモノラル型でもよい。
【００５９】
次に、ＣＤＬ子機２００の構成例について説明する。
【００６０】
図３はＣＤＬ子機２００の構成例を示すブロック図である。
【００６１】
ＣＤＬ子機２００は、記憶部１４２、音声入出力制御部１４３、操作部１４４、表示部１４５、子機制御部１４７、ＣＤＬ無線Ｉ／Ｆ部１４８、ＣＤＬプロトコル制御部１４９、充電池１５０、マイクロホン（ＭＩＣ）１５１、及びスピーカ（ＳＰＫ）１５２を備える。
【００６２】
記憶部１４２は、揮発性メモリ（ＲＡＭ）と不揮発性メモリ（ＲＯＭ／ＥＰＲＯＭ等）を含んで構成される。記憶部１４２は、各種プログラム、各種情報（例えば、電話帳情報、発着信履歴情報）を記憶する。
【００６３】
音声入出力制御部１４３は、マイクロホン１５１及びスピーカ１５２が音声信号の入力又は出力するための制御を行う。スピーカ１５２に出力される音声信号には、例えば、着信音、通話音声、留守番電話メッセージ等が含まれる。
【００６４】
操作部１４４は、例えば、ユーザが操作可能な複数のボタンを含み、操作入力を受け付ける。ボタンには、例えば、発信時のダイヤル入力に必要なダイヤルキー、各種機能が割り当てられたファンクションキー、表示部１４５の表示位置に対応付けられ表示されている機能を起動するためのソフトキー、上下左右の各方向を選択する矢印キー、が含まれる。操作部１４４は、例えば、表示部１４５に重ねられたタッチパネルでもよい。
【００６５】
表示部１４５は、液晶ディスプレイとそのドライバを含んで構成され、各種情報（例えば、電話番号、通信先又は通信元の情報、操作案内情報）を表示する。また、表示部１４５は、携帯型音楽プレーヤ３０のリモコンとして動作する場合、リモコン画面を表示する。
【００６６】
子機制御部１４７は、例えば、マイクロコンピュータを主体とするハードウェアを含んで構成され、予め組み込まれているプログラムを実行することにより、子機制御部１４７が有する各種機能を実現する。子機制御部１４７は、ＣＤＬ子機２００全体を制御する。
【００６７】
ＣＤＬ無線Ｉ／Ｆ部１４８は、ＣＤＬ親機１００との間において無線通信するための送受信回路を含む。図示しないが、ＣＤＬ無線Ｉ／Ｆ部１４８は、ＲＦ部で、アンテナを介して無線信号の送受信を行う。
【００６８】
ＣＤＬプロトコル制御部１４９は、ＣＤＬ親機１００との間でデータを送受信するプロトコルスタック部で、ＣＤＬ親機１００との間の制御プロトコル（例えば、ＤＥＣＴプロトコル方式、ＰＨＳプロトコル方式、ＷＤＣＴ方式等）に従ったプロトコル制御を行う。
【００６９】
充電池１５０は、ＣＤＬ子機２００の各部に電源電力を供給する。例えば、ＣＤＬ子機２００がＣＤＬ親機１００の子機／携帯端末充電部１２６に載置されることにより、充電池１５０が充電される。
【００７０】
次に、携帯型音楽プレーヤ３０の構成例について説明する。
【００７１】
携帯型音楽プレーヤ３０の構成については、特に図示はしないが、一般的な音楽プレーヤの構成を有する。携帯型音楽プレーヤ３０は、例えば、無線通信部、制御部、記憶部、音楽再生アプリケーション部、操作部、表示部、及び音声出力部を備える。無線通信部は、Ｂｌｕｅｔｏｏｔｈ（登録商標）等の近距離無線通信でコードレス電話親機との間を無線接続する。制御部は、携帯型音楽プレーヤ３０の全体を制御する。記憶部は、音楽データを含む各種データを記憶する。音楽再生アプリケーション部は、制御部において動作するソフトウェアにより音楽データを再生し、ストリーム送信機能とリモコン制御機能を備える。音声出力部は、スピーカ、イヤホンジャックを含む。また、上記の構成部を含む携帯電話機や、スマートホンが、携帯音楽プレーヤの一形態であることは、言うまでもないことである。
【００７２】
携帯型音楽プレーヤ３０により再生される音声データは、携帯型音楽プレーヤ３０の記憶部に記憶されてもよいし、無線通信機能を用いて、例えば外部サーバから取得してもよい、外部の記憶装置（例えば、メモリカード、ＵＳＢメモリ等）から取得してもよい。
【００７３】
次に、ＣＤＬシステム１の動作例について説明する。
【００７４】
ＣＤＬシステム１では、ＣＤＬ装置１０と携帯型音楽プレーヤ３０とが動作連携する。図４は、ＣＤＬ親機１００、ＣＤＬ子機２００、及び携帯型音楽プレーヤ３０が連携する場合の第１動作例を示すシーケンス図である。図４では、ＣＤＬ子機２００Ａを主にリモコンとして操作することを想定する。
【００７５】
まず、ＣＤＬ親機１００とＣＤＬ子機２００Ａ，２００Ｂとの間において、ＣＤＬ親機１００のＣＤＬプロトコル制御部１０８及びＣＤＬ子機２００のＣＤＬプロトコル制御部１４９は、無線通信（例えばＤＥＣＴ）のリンクを形成し、コードレス電話親機と子機間の通信リンクを確立しスタンバイ状態である（Ｓ１０１）。
【００７６】
ＣＤＬ親機１００と携帯型音楽プレーヤ３０との間において、ＣＤＬ親機１００のＢｌｕｅｔｏｏｔｈ（登録商標）制御部１２３と携帯型音楽プレーヤ３０は、Ｂｌｕｅｔｏｏｔｈ（登録商標）のリンクを形成する（Ｓ１０２）。これにより、両者をペアリングする。携帯型音楽プレーヤ３０及びＣＤＬ親機１００間では、例えば、携帯型音楽プレーヤ３０からＣＤＬ親機１００に音声データをストリーミング配信するためにＡ２ＤＰを用い、ＣＤＬ親機１００から携帯型音楽プレーヤ３０を遠隔制御するためにＡＶＲＣＰを用いる。
【００７７】
Ａ２ＤＰは、Ｂｌｕｅｔｏｏｔｈ（登録商標）機器の種類ごとに定義された通信規約であるＢｌｕｅｔｏｏｔｈ（登録商標）プロファイルの１つであり、音声データをストリーミング配信（受信しながら再生）するための手順を定義する。本実施例では、携帯型音楽プレーヤ３０がストリーミング配信側（ＳＲＣ）、ＣＤＬ親機１００がストリーミング受信側（ＳＮＫ）となる。
【００７８】
また、ＡＶＲＣＰは、Ｂｌｕｅｔｏｏｔｈ（登録商標）対応のワイヤレスイヤホンなどのリモコン制御に採用され、リモコンから本体（音楽プレーヤ等）を遠隔制御するときに使用するＢｌｕｅｔｏｏｔｈ（登録商標）のプロファイルである。
【００７９】
Ａ２ＤＰの手順に従って携帯型音楽プレーヤ３０及びＣＤＬ親機１００が動作することにより、携帯型音楽プレーヤ３０からＣＤＬ親機１００へ音声データを伝送できる。ＣＤＬ親機１００では、音声データを受信しながら再生できる。
【００８０】
ストリーミング配信される音声データの形式は、例えば、ＳＢＣ（ＳｕｂＢａｎｄ  Ｃｏｄｅｃ）、ＭＰ３（ＭＰＥＧ（Ｍｏｖｉｎｇ  Ｐｉｃｔｕｒｅ  Ｅｘｐｅｒｔｓ  Ｇｒｏｕｐ）Ａｕｄｉｏ  Ｌａｙｅｒ−３）、ＡＡＣ（Ａｄｖａｎｃｅｄ  Ａｕｄｉｏ  Ｃｏｄｉｎｇ）、ＡＴＲＡＣ（Ａｄａｐｔｉｖｅ  Ｔｒａｎｓｆｏｒｍ  Ａｃｏｕｓｔｉｃ  Ｃｏｄｉｎｇ）、の形式を含む。
【００８１】
続いて、例えばユーザが携帯型音楽プレーヤ３０を操作し、携帯型音楽プレーヤ３０が音楽再生用のアプリケーションを起動する（Ｓ１０３）。携帯型音楽プレーヤ３０が音楽再生用のアプリケーションが起動すると、携帯型音楽プレーヤ３０は、ＣＤＬ親機１００との間でＡ２ＤＰとＡＶＲＣＰを用いて、音声ストリーム配信と遠隔制御のための無線接続を行う（Ｓ１０４）。
【００８２】
そして、上記ＡＶＲＣＰの接続手順が完了すると携帯型音楽プレーヤ３０は、例えば、携帯型音楽プレーヤ３０の状態を示す状態情報と、携帯型音楽プレーヤ３０が有する又は参照可能な音声データの楽曲情報を、ＣＤＬ親機１００に送信する（Ｓ１０５）。楽曲情報は、音声データに関する情報であり、例えば、アルバム名、アーティスト名、タイトル名、トラック番号を含む。楽曲情報は、携帯型音楽プレーヤ３０からＣＤＬ親機１００へ適時送信される。
【００８３】
また、携帯型音楽プレーヤ３０は、携帯型音楽プレーヤ３０のユーザ操作またはＣＤＬ親機１００からの遠隔操作により携帯型音楽プレーヤ３０の状態（例えば、再生中、停止中、一時停止中）が変化すると状態変化を示す状態情報を、ＣＤＬ親機１００に送信する。
【００８４】
ＣＤＬ親機１００では、Ｂｌｕｅｔｏｏｔｈ（登録商標）通信Ｉ／Ｆ部１２４を介して、音楽プレーヤ制御部１１３が、携帯型音楽プレーヤ３０から、楽曲情報又は状態情報を受信し、記憶部１０３に、この情報を保持する。楽曲情報及び状態情報は、必要に応じて使用され、例えば所定のタイミングにおいて表示部１０６又はＣＤＬ子機２００の表示部１４５に表示される。
【００８５】
携帯型音楽プレーヤ３０における音声データの再生開始は、例えば、ユーザが携帯型音楽プレーヤ３０を直接操作することで指示されてもよいし、携帯型音楽プレーヤ３０のリモコンとして機能するＣＤＬ子機２００を操作することで指示されてもよい。図４では、音楽再生用のアプリケーションの起動後に、ユーザは、携帯型音楽プレーヤ３０の操作部を操作して、選択中の楽曲の再生操作を行う（Ｓ１０６）。
【００８６】
これによって、携帯型音楽プレーヤ３０の状態が、停止状態から再生中状態に変化したため、携帯型音楽プレーヤ３０からＣＤＬ親機１００の音楽プレーヤ制御部１１３に再生中を示す状態情報（再生）が送信され、音楽プレーヤ制御部１１３は、携帯型音楽プレーヤの状態を再生中状態に更新する（Ｓ１０６ａ）。
【００８７】
続いて、携帯型音楽プレーヤ３０は、携帯型音楽プレーヤ３０が有する又は参照可能な音声データを、例えば音声ストリームデータとして、順次、ＣＤＬ親機１００へ送信する（Ｓ１０７）。
【００８８】
ＣＤＬ親機１００では、Ｂｌｕｅｔｏｏｔｈ（登録商標）通信Ｉ／Ｆ部１２４を経由してＢｌｕｅｔｏｏｔｈ（登録商標）制御部１２３が、携帯型音楽プレーヤ３０からの音声ストリームデータを受信する。音声ストリームデータは、音声バスを経由して音声入出力制御部１０４に入力され、アナログ信号に変換され、スピーカ１２９，１３０から音声出力される。
【００８９】
従って、携帯型音楽プレーヤ３０が音声データを再生する場合に、ＣＤＬ親機１００のスピーカ１２９及び１３０を、携帯型音楽プレーヤ３０の外部スピーカとして利用できる。
【００９０】
ＣＤＬ子機２００Ａでは、表示部１４５が所定の機能メニュー画面を表示中に、携帯型音楽プレーヤ３０と連携するためのファンクションキー（例えば連携キー）をユーザが押下し、操作部１４４が連携キーの押下を検出する（Ｓ１０９）。連携キーが押下されると、ＣＤＬ子機２００Ａから、携帯型音楽プレーヤ３０との連携開始要求を示すキー情報メッセージ（連携キー）をＣＤＬ親機１００に通知する（Ｓ１１０）。
【００９１】
なお、上記説明では、携帯型音楽プレーヤ３０と連携するための専用のファンクションキー押下操作によって、携帯型音楽プレーヤ３０のリモコンとして動作開始させたが、ＣＤＬ子機２００Ａの機能メニュー画面に表示されている機能から音楽プレーヤ連携機能を選択し、リモコン動作を起動する一連のキー操作によって、リモコンとして動作開始させても良い。
【００９２】
ＣＤＬ親機１００では、ＣＤＬ無線Ｉ／Ｆ部１０７が、キー情報メッセージ（連携キー）をＣＤＬ子機２００Ａから受信すると、呼制御部１１０にキー情報メッセージ（連携キー）を送信し、呼制御部１１０が、受信したキー情報が連携キーであることを検知する。
【００９３】
呼制御部１１０は、キー情報が連携キーであることを検知すると、ＣＤＬ子機２００Ａの状態を子機リモコン操作中状態に更新し、子機リモコン制御部１１１に子機リモコン起動を通知する。
【００９４】
子機リモコン制御部１１１は、子機リモコン起動が通知されると、リモコン画面情報を生成し、ＣＤＬ子機２００Ａにリモコン画面情報を送信する（Ｓ１１１）。リモコン画面情報は、例えば、携帯型音楽プレーヤ３０から受信した楽曲情報又は状態情報を含む。リモコン画面情報は、例えば、ＣＤＬ子機２００Ａが携帯型音楽プレーヤ３０のリモコンとして動作する場合に、ＣＤＬ子機２００Ａの各キーに割り当てる機能を表す情報、ＣＤＬ子機２００Ａがリモコンとして動作するための様々なパラメータ又は制御条件を表す情報、を含んでもよい。
【００９５】
ＣＤＬ子機２００Ａでは、ＣＤＬ無線Ｉ／Ｆ部１４８がＣＤＬ親機１００からの音楽プレーヤ再生中状態のリモコン画面情報を受信し、表示部１４５が、リモコン画面（例えば後述する図５（Ａ）参照）を表示する（Ｓ１１２）。リモコン画面の表示により、ＣＤＬ子機２００Ａのユーザは、ＣＤＬ子機２００Ａのリモコン画面に表示される内容を確認して、携帯型音楽プレーヤ３０を遠隔操作するための操作入力を行うことができる。従って、携帯型音楽プレーヤ３０とＣＤＬ親機１００との連携時には、ＣＤＬ子機２００Ａの操作により、携帯型音楽プレーヤ３０を遠隔操作できる。
【００９６】
遠隔操作の対象となる処理は、例えば、再生（ＰＬＡＹ）、再生一時停止（ＰＡＵＳＥ）、再生停止（ＳＴＯＰ）、早送り／次曲再生、巻き戻し／前曲再生、音量アップ、音量ダウンの処理を含む。
【００９７】
ＣＤＬ子機２００Ａでは、操作部１４４が音量アップのキー入力操作を検出した場合（Ｓ１１３）、ＣＤＬ無線Ｉ／Ｆ部１４８が、キー情報（音量アップ）メッセージをＣＤＬ親機１００に送信する（Ｓ１１４）。
【００９８】
この場合、ＣＤＬ親機１００では、ＣＤＬ無線Ｉ／Ｆ部１０７が、キー情報（音量アップ）メッセージを受信し、呼制御部１１０に送信する。
【００９９】
呼制御部１１０は、ＣＤＬ子機２００Ａの状態が子機リモコン操作中状態であることを確認すると、キー情報（音量アップ）を子機リモコン制御部１１１に通知する。
【０１００】
子機リモコン制御部１１１は、音声入出力制御部１０４に、スピーカ１２９，１３０による出力音量を増加させる指示を行う（Ｓ１１５）。
【０１０１】
また、このとき、子機リモコン制御部１１１は、音量調整用のリモコン画面情報を生成し、ＣＤＬ子機２００Ａに送信しても良い（Ｓ１１５ａ）。
【０１０２】
ＣＤＬ子機２００Ａでは、ＣＤＬ無線Ｉ／Ｆ部１４８が、ＣＤＬ親機１００からの音量調整用のリモコン画面情報を受信し、表示部１４５が、リモコン画面（例えば後述する図５（Ｂ）参照）を表示する（Ｓ１１５ｂ）。
【０１０３】
ＣＤＬ子機２００Ａでは、操作部１４４が再生一時停止の操作入力を検出した場合（Ｓ１１６）、ＣＤＬ無線Ｉ／Ｆ部１４８が、キー情報（再生一時停止）メッセージをＣＤＬ親機１００に送信する（Ｓ１１７）。
【０１０４】
この場合、ＣＤＬ親機１００では、ＣＤＬ無線Ｉ／Ｆ部１０７が、キー情報（再生一時停止）メッセージを受信し、呼制御部１１０に送信する。
【０１０５】
呼制御部１１０は、ＣＤＬ子機２００Ａの状態が子機リモコン操作中状態であることを確認すると、キー情報（再生一時停止）を子機リモコン制御部１１１に通知する。
【０１０６】
子機リモコン制御部１１１は、キー情報（再生一時停止）メッセージを受信すると、音楽プレーヤ制御部１１３に再生一時停止のリモコン動作を指示するために、音楽プレーヤ制御部１１３に再生一時停止を指示する。
【０１０７】
音楽プレーヤ制御部１１３は、子機リモコン制御部１１１からの再生一時停止の指示を受信すると、Ｂｌｕｅｔｏｏｔｈ（登録商標）制御部１２３を介して、遠隔制御情報を携帯型音楽プレーヤ３０へ無線送信させる（Ｓ１１８）。この遠隔制御情報は、携帯型音楽プレーヤ３０による再生の一時停止を指示する情報を含む。
【０１０８】
携帯型音楽プレーヤ３０は、ＣＤＬ親機１００から再生一時停止情報を含む遠隔制御情報を受信すると、再生対象の音声データの再生を一時停止し、ＣＤＬ親機１００への音声ストリームデータの送信を停止し（Ｓ１１９）、再生一時停止状態を示す状態情報（再生一時停止）を、ＣＤＬ親機１００に通知する（Ｓ１２０）。
【０１０９】
ＣＤＬ親機１００では、音楽プレーヤ制御部１１３が再生一時停止を示す状態情報を受信し、携帯型音楽プレーヤ３０の状態を再生一時停止中状態に更新し、子機リモコン制御部１１１に状態変化を通知する。子機リモコン制御部１１１は、再生一時停止用のリモコン画面を生成し、リモコン操作中のＣＤＬ子機Ａに、再生一時停止用のリモコン画面を送信させる（Ｓ１２０ａ）。
【０１１０】
ＣＤＬ子機２００Ａでは、ＣＤＬ無線Ｉ／Ｆ部１４８がＣＤＬ親機１００からの再生一時停止用のリモコン画面情報を受信し、表示部１４５が、リモコン画面（例えば後述する図５（Ｃ）参照）を表示する（Ｓ１２０ｂ）。
【０１１１】
以上、第１動作例によれば、携帯型音楽プレーヤ３０が音声データを再生する場合、ＣＤＬ親機１００のスピーカ１２９，１３０を外部スピーカとして使用できる。また、携帯型音楽プレーヤ３０を遠隔操作するリモコンとして、ＣＤＬ子機２００を使用できる。
【０１１２】
また、ＣＤＬ子機２００をリモコンとして動作させることで、ユーザが携帯型音楽プレーヤ３０に対して各種操作を行う場合、ユーザは移動する必要がないため、ユーザの視聴環境の自由度を増大できる。
【０１１３】
さらに、上記の説明では、ＣＤＬ子機２００Ａからの子機操作による携帯型音楽プレーヤ３０を遠隔操作する例を説明した。ＣＤＬ子機２００Ａがリモコン操作を起動している状態で、他のＣＤＬ子機２００Ｂにおいて携帯型音楽プレーヤ３０と連携するためのキー（連携キー）を押下すると、ＣＤＬ子機２００Ｂからの操作によっても、ＣＤＬ子機２００Ａと共用して、携帯型音楽プレーヤ３０を遠隔操作することができる。
【０１１４】
さらに、上記の説明では、携帯型音楽プレーヤ３０が主導して、音楽再生用のアプリケーションを起動することを例示したが、ＣＤＬ親機１００側が主導して、音声ストリームデータの送信を開始させてもよい。この場合、例えば、ＣＤＬ子機２００が連携キーの押下し、ＣＤＬ子機２００からＣＤＬ親機１００へ連携キーの情報が伝達された際に、ＣＤＬ親機１００が携帯型音楽プレーヤ３０に対して、Ａ２ＤＰとＡＶＲＣＰとを用いた音声ストリーム配信手順と遠隔制御手順の接続を要求してもよい（Ｓ１０４）。また、携帯型音楽プレーヤ３０は、ＣＤＬ親機１００からの遠隔制御によって、音楽再生用のアプリケーションを起動してもよい。
【０１１５】
次に、ＣＤＬ子機２００の表示部１４５に表示されるリモコン画面の画面例について説明する。
【０１１６】
図５（Ａ）〜（Ｃ）は、ＣＤＬ子機２００における状態変化と表示部１４５のリモコン画面の遷移との関係の一例を示す模式図である。図５（Ａ）は、携帯型音楽プレーヤ３０の状態が再生中である場合のリモコン画面の画面例を示す模式図である。図５（Ｂ）は、携帯型音楽プレーヤ３０の状態が一時停止中である場合のリモコン画面の画面例を示す模式図である。図５（Ｃ）は、携帯型音楽プレーヤ３０の状態が音量調整中である場合のリモコン画面の画面例を示す模式図である。図５（Ａ）では、表示部１４５に表示されるリモコン画面とともに、操作部１４４の一部が示されている。図５（Ｂ），（Ｃ）では、操作部１４４の一部の図示を省略している。
【０１１７】
子機リモコン制御部１１１は、携帯型音楽プレーヤ３０から取得した状態情報と楽曲情報に応じて、リモコン画面情報を編集し、ＣＤＬ子機２００にリモコン画面情報を送信させる。
【０１１８】
また、例えば、携帯型音楽プレーヤ３０における操作、または、ＣＤＬ子機２００からのリモコン操作に応じて、携帯型音楽プレーヤ３０の状態又は楽曲が変更されると、逐次、ＣＤＬ親機１００に状態情報又は楽曲情報が通知され、ＣＤＬ親機１００が状態情報又は楽曲情報の変化を検知する。状態情報又は楽曲情報の変化は、ＣＤＬ子機２００のリモコン画面に反映される。なお、ＣＤＬ子機２００におけるキー操作に応じて、ＣＤＬ子機２００から状態情報又は楽曲情報が通知されてもよい。
【０１１９】
図５（Ａ），（Ｂ）では、例えば、最上位の行から順に、再生対象の曲名（Ｍｕｓｉｃ  Ｎａｍｅ）、再生対象の曲を含むタイトル名（例えばアルバム名（Ａｌｂｕｍ  Ｎａｍｅ））、再生対象の曲に関するアーティスト名（Ｐｌａｙｅｒ  Ｎａｍｅ）リモコンの操作案内、ソフトキーに割り当てられた機能、の各情報が含まれる。このソフトキーは、例えば、左側のソフトキー（ＳＯＦＴ＿Ｌ），右側のソフトキー（ＳＯＦＴ＿Ｒ）を含む。
【０１２０】
操作部１４４は、図５（Ａ）に示すように、左側のソフトキー１４４ａ、右側のソフトキー１４４ｂ、通話キー１４４ｃ、終話キー１４４ｄ、ナビキー（十字キー）１４４ｅ、及びダイヤルキー１４４ｆを含む。
【０１２１】
図５（Ａ）〜（Ｃ）では、ナビキー１４４ｅにおいて、例えば、上方向のキーに音量アップ指示、下方向のキーに音量ダウン指示、の各機能が割り当てられる。図５（Ａ），（Ｂ）では、ナビキー１４４ｅにおいて、例えば、左方向のキーにリピート（Ｒｅｐｅａｔ）指示、右方向のキーにスキップ（Ｓｋｉｐ）指示、の各機能が割り当てられる。
【０１２２】
図５（Ａ）では、例えば、左側のソフトキー１４４ａに再生停止（ＳＴＯＰ）指示、右側のソフトキー１４４ｂに再生一時停止（ＰＡＵＳＥ）指示、の各機能が割り当てられる。図５（Ｂ）では、例えば、左側のソフトキー１４４ａに再生停止（ＳＴＯＰ）指示、右側のソフトキー１４４ｂに再生（ＰＬＡＹ）指示、の各機能が割り当てられる。
【０１２３】
なお、第１の実施形態では、親機制御部１０９が音声ストリーム処理部１１２を含むとして説明したが、音声ストリーム処理部１１２はＢｌｕｅｔｏｏｔｈ（登録商標）制御部１２３に含まれていてもよい。
【０１２４】
（第２の実施形態）
以下、本発明の第２の実施形態について図面を参照しながら説明する。
【０１２５】
第１の実施形態では、携帯型音楽プレーヤ３０からの音声ストリームデータをＣＤＬ親機１００で受信し、スピーカ１２９，１３０から音声出力する構成を説明した。第２の実施形態は、ＣＤＬ親機１００で受信した音声ストリームデータを音質変換してＣＤＬ子機２００（２００Ａ、２００Ｂ）に送信し、ＣＤＬ子機２００（２００Ａ、２００Ｂ）のスピーカ１５２から音声出力する。
【０１２６】
なお、第２の実施形態においては、図２に示したＢｌｕｅｔｏｏｔｈ（登録商標）制御部１２３が、以下に説明する記憶部１０３に記憶された設定情報に基づいて、携帯型音楽プレーヤ３０からの音声データを所定の音声品質に変換する音質変換部としての機能も兼ねている。他の要素の構成および機能については第１実施形態と同様であるので説明を省略する。
【０１２７】
図６は、第２の実施形態におけるＣＤＬ親機１００の記憶部１０３に記憶された設定情報の一例を示す図である。設定情報には、音楽再生時の品質（例えば高音質：４８ｋＨｚ／通話標準音質：８ｋＨｚ）や再生音声の出力先（子機選択、Ｌ／Ｒ選択ステレオ音、モノラル音）の情報が含まれる。
【０１２８】
携帯型音楽プレーヤ３０の構成部を含む携帯電話機やスマートホンが出力する音楽再生時の品質は、一般的に高品質の４４．１ｋＨｚや４８ｋＨｚであり、ＳＢＣ（Ｓｕｂ  Ｂａｎｄ  Ｃｏｄｅｃ）、ＡＡＣ（Ａｄｖａｎｃｅｄ  Ａｕｄｉｏ  Ｃｏｄｉｎｇ）、ａｐｔＸ（登録商標）等の形式で出力される。
【０１２９】
例えば、３０１に示す「標準（ｄｅｆａｕｌｔ）」の設定では、音楽再生時の品質はＤＡＴ（ｄｉｇｉｔａｌ  ａｕｄｉｏ  ｔａｐｅ）規格相当の高音質：４８ｋＨｚ（ステレオ）であり、再生音声の出力先はＣＤＬ親機１００である。３０２に示す「設定１」の設定では、音楽再生時の品質は電話における通話標準音質：８ｋＨｚ（モノラル）であり、再生音声の出力先はＣＤＬ親機１００、ＣＤＬ子機２００Ａ、ＣＤＬ子機２００Ｂである。３０３に示す「設定２」では、「設定１」の再生音声の出力先からＣＤＬ子機２００Ｂを除いた設定である。３０４に示す「設定３」では、音楽再生時の品質は通話標準音質：８ｋＨｚ（ステレオ）であり、再生音声の出力先であるＣＤＬ親機１００にはＬ／Ｒのステレオで出力し、ＣＤＬ子機２００ＡにはＬ音声を出力し、ＣＤＬ子機２００ＢにはＲ音声を出力する設定である。
【０１３０】
ここで、３０５は他の組合せの設定を追加可能であることを示し、３０６は増設子機を追加した場合の設定が可能であることを示している。なお、ＣＤＬ子機２００が複数台ある場合の組合せを記載しているが、ＣＤＬ子機２００は少なくとも１台あればよい。なお、ＣＤＬ子機２００が高音質に対応していなければ音質変換は必須である。
【０１３１】
また、３０７で示した「標準（ｄｅｆａｕｌｔ）」、「設定１」、「設定２」等を、以降では必要に応じて「設定モード」と称する。ユーザは設定モードの１つを選択し、選択された設定モードは、ＣＤＬ親機１００の操作部１０５から入力されて記憶部１０３に記憶され、あるいは、固定電話回線Ｉ／Ｆ（インタフェース）部１０１、ＣＤＬ無線Ｉ／Ｆ部１０７、Ｂｌｕｅｔｏｏｔｈ（登録商標）通信Ｉ／Ｆ部１２４を介して受信して記憶部１０３に記憶される。
【０１３２】
次に、ＣＤＬシステム１の動作例について説明する。
【０１３３】
図７は、第２の実施形態におけるＣＤＬ装置１０と携帯型音楽プレーヤ３０とが連携する場合の第２動作例を示すシーケンス図である。図７では、ＣＤＬ親機１００が記憶部１０３に記憶された設定モードを参照し、ＣＤＬ親機１００で受信した音声ストリームデータを、設定情報に基づいた品質で出力先に音声出力する。
【０１３４】
図７において、ＣＤＬ親機１００とＣＤＬ子機２００（２００Ａ、２００Ｂ）との間において無線通信のリンクを形成してコードレス電話親機と子機間の通信リンクを確立しスタンバイ状態とするステップ（Ｓ４０１）、ＣＤＬ親機１００と携帯型音楽プレーヤ３０との間においてリンクを形成するステップ（Ｓ４０２）、ユーザが携帯型音楽プレーヤ３０を操作し携帯型音楽プレーヤ３０が音楽再生用のアプリケーションを起動するステップ（Ｓ４０３）、携帯型音楽プレーヤ３０がＣＤＬ親機１００との間でＡ２ＤＰとＡＶＲＣＰを用いて音声ストリーム配信と遠隔制御のための無線接続を行うステップ（Ｓ４０４）、携帯型音楽プレーヤ３０が携帯型音楽プレーヤ３０の状態を示す状態情報と携帯型音楽プレーヤ３０が有する又は参照可能な音声データの楽曲情報をＣＤＬ親機１００に送信するステップ（Ｓ４０５）、ユーザが携帯型音楽プレーヤ３０の操作部を操作して選択中の楽曲の再生操作を行うステップ（Ｓ４０６）、携帯型音楽プレーヤ３０から再生中を示す状態情報（再生）が送信されて音楽プレーヤ制御部１１３が携帯型音楽プレーヤの状態を再生中状態に更新するステップ（Ｓ４０６ａ）、の各ステップについては既に説明した図４のＳ１０１〜Ｓ１０６ａと同様であるので、次の、携帯型音楽プレーヤ３０が音声ストリーム開始の要求をＣＤＬ親機１００へ送信するステップから詳細に説明する。
【０１３５】
携帯型音楽プレーヤ３０は、携帯型音楽プレーヤ３０が有する又は参照可能な音声データを、例えば音声ストリームデータとして、ＣＤＬ親機１００へ送信するために、Ａ２ＤＰプロファイルに従って、ストリーム開始の要求を親機４に送信する（Ｓ４０７）。
【０１３６】
ＣＤＬ親機１００では、携帯型音楽プレーヤ３０から送信されるストリーム開始の要求を受信すると、Ｂｌｕｅｔｏｏｔｈ（登録商標）制御部１２３は、記憶部１０３に記憶された設定情報を参照し、音声ストリームデータの再生品質（図６で説明した再生モード）に応じた変換制御（例えば４８ｋｂｐｓのステレオ音声を所定の再生モード（８ｋｂｐｓのステレオ音声や８ｋｂｐｓのモノラル音声等）に変換する等）の設定を行う（Ｓ４０８）。
【０１３７】
所定の再生モードへの変換は一般的に知られているフィルタ処理等により行う。例えばＣＤＬ親機１００においてはデジタル信号処理に特化したプロセッサであるＤＳＰ（Ｄｉｇｉｔａｌ  Ｓｉｇｎａｌ  Ｐｒｏｃｅｓｓｏｒ）を搭載し再生モードに対応する所定のパラメータを設定することによって、以降ストリーム形式で取得した音声データをリアルタイムに所望する再生モードに変換することができる。
【０１３８】
変換制御の設定を完了したＢｌｕｅｔｏｏｔｈ（登録商標）制御部１２３は、親機制御部１０９に再生開始の通知を行う。このとき設定した再生モードも通知する。親機制御部１０９からも記憶部１０３に記憶された設定情報を参照することは可能であるが、再生開始時に設定した再生モードを通知することにより制御部間の不整合の発生をチェック／防止している。
【０１３９】
再生開始の通知を受けた親機制御部１０９は、記憶部１０３に記憶された設定情報を参照し、音声ストリームデータの出力先にＣＤＬ親機１００が含まれている場合は、音声ストリームデータをスピーカ１２９，１３０に出力するために、Ｂｌｕｅｔｏｏｔｈ（登録商標）制御部１２３から音声ストリーム処理部１１２を経由して音声入出力制御部１０４への音声パスを形成する（Ｓ４０９）。なお、Ｂｌｕｅｔｏｏｔｈ（登録商標）制御部１２３から音声入出力制御部１０４への音声パスは、Ｂｌｕｅｔｏｏｔｈ（登録商標）制御部１２３と音声入出力制御部１０４との間に音声ストリーム処理部１１２でバッファリングして形成しても良いし、音声ストリーム処理部１１２を経由せずに、Ｂｌｕｅｔｏｏｔｈ（登録商標）制御部１２３から音声入出力制御部１０４への音声バスを経由する音声パスを形成しても良い。
【０１４０】
親機制御部１０９は、記憶部１０３に記憶された設定情報を参照し、音声ストリームデータの出力先にＣＤＬ子機２００（２００Ａ、２００Ｂ）が含まれている場合は、まず、Ｂｌｕｅｔｏｏｔｈ（登録商標）制御部１２３から音声ストリーム処理部１１２を経由してＣＤＬプロトコル制御部１０８への音声パスを形成する（Ｓ４０９）。なお、上述と同様に音声ストリーム処理部１１２を経由せずに音声パスを形成しても良い。
【０１４１】
次に、親機制御部１０９は、ＣＤＬプロトコル制御部１０８により再生開始の通知を制御データと一緒にフレーム化し無線信号として、ＣＤＬ無線Ｉ／Ｆ部１０７を介してＣＤＬ子機２００（２００Ａ、２００Ｂ）にブロードキャスト送信する（Ｓ４１０）。
【０１４２】
なお、再生開始の通知はブロードキャスト送信によるため、通常のブロードキャスト送信と同様、ブロードキャストを受信した装置が受信の対象か否かを示すフラグもフレームに含めて送信している。即ち親機制御部１０９は、記憶部１０３に記憶された設定情報を参照し、例えば、３０３に示した「設定２」の場合のように音声ストリームデータの出力先がＣＤＬ子機２００Ａのみである場合には、フラグにＣＤＬ子機２００Ａのみが受信の対象であることを設定してフレームに含めて送信するように制御している。
【０１４３】
ＣＤＬ親機１００からの再生開始の通知を受けた子機制御部１４７は、ＣＤＬ親機１００から、以降で受信する音声ストリームデータをスピーカ１５２から出力するためＣＤＬプロトコル制御部１４９から音声入出力制御部１４３への音声パスを形成する（Ｓ４１１）。
【０１４４】
なお、上述したようにブロードキャスト送信されたフレームのフラグにより例えばＣＤＬ子機２００Ｂが受信の対象となっていなければ、ＣＤＬ子機２００Ｂでは音声パスの形成は行わない。
【０１４５】
親機制御部１０９に再生開始の通知を行ったＢｌｕｅｔｏｏｔｈ（登録商標）制御部１２３は、Ａ２ＤＰプロファイルに従って、ストリーム開始の要求に対するストリーム開始の応答を携帯型音楽プレーヤ３０に送信する（Ｓ４１２）。
【０１４６】
ストリーム開始の応答を受信した携帯型音楽プレーヤ３０は、携帯型音楽プレーヤ３０が有する又は参照可能な音声データを、Ａ２ＤＰプロファイルに従って、音声ストリームデータとして、順次、ＣＤＬ親機１００へ送信する（Ｓ４１３）。
【０１４７】
ＣＤＬ親機１００では、携帯型音楽プレーヤ３０からの音声ストリームデータを受信する。受信した音声ストリームデータは、設定された出力先に出力され再生される（Ｓ４１４、Ｓ４１６）。
【０１４８】
例えば音声ストリームデータの出力先にＣＤＬ親機１００が設定されている場合は、音声ストリームデータは、Ｂｌｕｅｔｏｏｔｈ（登録商標）制御部１２３で音質変換され、Ｂｌｕｅｔｏｏｔｈ（登録商標）制御部１２３から音声入出力制御部１０４への音声パスを経由して転送され、音声入出力制御部１０４においてデジタル信号からアナログ信号へ変換されスピーカ１２９，１３０から再生される（Ｓ４１４）。
【０１４９】
例えば、４８ｋＨｚ（ステレオ）や８ｋＨｚ（ステレオ）の場合、音声ストリームデータ中のＬ（左）／Ｒ（右）の切分けと同期処理もＢｌｕｅｔｏｏｔｈ（登録商標）制御部１２３が行い、音声入出力制御部１０４がスピーカ１２９にＬ（左）の音声を、スピーカ１３０にＲ（右）の音声を再生している。
【０１５０】
また、例えば音声ストリームデータの出力先にＣＤＬ子機２００（２００Ａ、２００Ｂ）が設定されている場合は、親機制御部１０９は、Ｂｌｕｅｔｏｏｔｈ（登録商標）制御部１２３で音質変換された音声ストリームデータをＣＤＬプロトコル制御部１０８により制御データと一緒に逐次フレーム化し無線信号として、ＣＤＬ無線Ｉ／Ｆ部１０７を介してＣＤＬ子機２００（２００Ａ、２００Ｂ）にブロードキャスト送信する（Ｓ４１５）。
【０１５１】
ＣＤＬ子機２００（２００Ａ、２００Ｂ）では、ＣＤＬ無線Ｉ／Ｆ部１４８を介して受信した無線信号を子機制御部１４７が制御データと音声ストリームデータに分離する。音声ストリームデータは音声入出力制御部１４３においてデジタル信号からアナログ信号へ変換され、増幅されて、スピーカ１５２から再生される（Ｓ４１６）。
【０１５２】
なお、音声ストリームデータも上述した再生開始の通知と同様にブロードキャスト送信によるため、親機制御部１０９は、音声ストリームデータを受信する装置が受信の対象であることを示すフラグもフレームに含めて送信するように制御している。
【０１５３】
ここで例えば、記憶部１０３に記憶された設定情報の設定が「設定３」の場合のように８ｋＨｚ（ステレオ）のＬ（左）の音声をＣＤＬ子機２００Ａに、Ｒ（右）の音声をＣＤＬ子機２００Ｂに出力する場合の動作について説明する。
【０１５４】
親機制御部１０９は、Ｂｌｕｅｔｏｏｔｈ（登録商標）制御部１２３によってＬ（左）とＲ（右）に切分けられた音声ストリームデータのＬ（左）の音声をＣＤＬプロトコル制御部１０８により制御データと一緒に逐次フレーム化し無線信号としてＣＤＬ子機２００（２００Ａ、２００Ｂ）にブロードキャスト送信する。引き続きＬ（左）とＲ（右）切分けられた音声ストリームデータのＲ（右）の音声をＣＤＬプロトコル制御部１０８により制御データと一緒に逐次フレーム化し無線信号としてＣＤＬ子機２００（２００Ａ、２００Ｂ）にブロードキャスト送信する。以降、交互にブロードキャスト送信を繰り返す。
【０１５５】
親機制御部１０９は、音声ストリームデータのＬ（左）の音声を送信する場合には、ＣＤＬ子機２００Ａが受信の対象であることを示すフラグをフレームに含めて送信し、音声ストリームデータのＲ（右）の音声を送信する場合には、ＣＤＬ子機２００Ｂが受信の対象であることを示すフラグをフレームに含めて送信するように制御している。
【０１５６】
ＣＤＬ子機２００（２００Ａ、２００Ｂ）では、ＣＤＬ無線Ｉ／Ｆ部１４８を介して受信した無線信号を子機制御部１４７が制御データと音声ストリームデータに分離する。音声ストリームデータは音声入出力制御部１４３においてデジタル信号からアナログ信号へ変換され、増幅されて、スピーカ１５２から再生される。
【０１５７】
ここで、上述したようにブロードキャスト送信されたフレームのフラグにより例えばＣＤＬ子機２００Ｂが受信の対象となっていなければ、ＣＤＬ子機２００Ｂでは音声ストリームデータの再生は行われない。このため「設定３」の場合には設定情報の設定に従って、８ｋＨｚ（ステレオ）のＬ（左）の音声は常にＣＤＬ子機２００Ａから出力され、Ｒ（右）の音声は常にＣＤＬ子機２００Ｂから出力される。
【０１５８】
（第３の実施形態）
以下、本発明の第３の実施形態について図面を参照しながら説明する。
【０１５９】
第１の実施形態では、携帯型音楽プレーヤ３０からの音声ストリームデータをＣＤＬ親機１００で受信し、スピーカ１２９，１３０から音声出力する構成を説明した。また、第２の実施形態は、ＣＤＬ親機１００で受信した音声ストリームデータを音質変換してＣＤＬ子機２００（２００Ａ、２００Ｂ）に送信し、ＣＤＬ子機２００（２００Ａ、２００Ｂ）のスピーカ１５２から音声出力する構成を説明した。第３の実施形態は、携帯型音楽プレーヤ３０からの音声ストリームデータをＣＤＬ親機１００のスピーカ１２９，１３０から、またＣＤＬ子機２００（２００Ａ、２００Ｂ）のスピーカ１５２から音声出力しているときに固定電話網４０を介して他の電話機７０から着信を受けた場合等に音量を制御する構成について説明する。
【０１６０】
なお、第３の実施形態においては、図２に示したＢｌｕｅｔｏｏｔｈ（登録商標）制御部１２３が携帯型音楽プレーヤ３０からの音声データを所定の音声品質に変換する音質変換部としての機能に加えて、更に、所定の音量に変換する音量変換部としての機能も兼ねている。音量の変換は、例えば、第２の実施形態で説明したＤＳＰ（Ｄｉｇｉｔａｌ  Ｓｉｇｎａｌ  Ｐｒｏｃｅｓｓｏｒ）やコーデックによっても行うことができる。他の要素の構成および機能については、第１実施形態および第２実施形態と同様であるので、説明を省略する。
【０１６１】
以下、ＣＤＬシステム１の動作例について説明する。
【０１６２】
図８は、第３の実施形態におけるＣＤＬ装置１０と携帯型音楽プレーヤ３０とが連携する場合の第３動作例を示すシーケンス図である。図８では、ＣＤＬ親機１００およびＣＤＬ子機２００（２００Ａ、２００Ｂ）にて携帯型音楽プレーヤ３０からの音声ストリームデータ再生中に固定電話網４０を介して他の電話機７０から着信を受けた場合に、ユーザの着信応答（通話処理）を邪魔しないように音声ストリームデータの再生音量を一時的に下げる。
【０１６３】
図８において、ＣＤＬ親機１００とＣＤＬ子機２００（２００Ａ、２００Ｂ）との間の通信リンクを確立し、また、ＣＤＬ親機１００と携帯型音楽プレーヤ３０との間においてリンクを形成し、携帯型音楽プレーヤ３０からの音声ストリームデータをＣＤＬ親機１００やＣＤＬ子機２００（２００Ａ、２００Ｂ）において再生するステップ（Ｓ５０１）については既に説明した図７と同様であるので、次の、固定電話網４０を介して他の電話機７０から着信を受けるステップから詳細に説明する。
【０１６４】
なお、図７においては、ＣＤＬ子機２００Ｂは音声ストリームデータの再生をしない設定で説明したが、ステップＳ５０１では、ＣＤＬ子機２００ＢにおいてもＣＤＬ子機２００Ａと同様に再生をしているものとして説明する。
【０１６５】
固定電話網４０を介して他の電話機７０から局線着信があると（Ｓ５０２）、固定電話回線インタフェース部１０１は着呼を検出し、着信があった旨を親機制御部１０９に通知する。
【０１６６】
着信があった旨の通知を受けた親機制御部１０９は、ユーザが着信に応答して通話するための通話処理（Ｓ５０３）を呼制御部１１０と連携して実行する。まず、親機制御部１０９は、ステップＳ５０１で行っていた携帯型音楽プレーヤ３０からの音声ストリームデータの再生を継続するに当たり、Ｂｌｕｅｔｏｏｔｈ（登録商標）制御部１２３を制御して携帯型音楽プレーヤ３０からの音声データを所定の音量に変換する（Ｓ５０４）。
【０１６７】
即ち、この通話処理の間は、ユーザの着信応答を邪魔しないように音声ストリームデータの再生音量を一時的に下げる。
【０１６８】
音量のレベルは、例えば、記憶部１０３に予め記憶しておいても、操作部１０５から入力されても、あるいは、固定電話回線Ｉ／Ｆ（インタフェース）部１０１、ＣＤＬ無線Ｉ／Ｆ部１０７、Ｂｌｕｅｔｏｏｔｈ（登録商標）通信Ｉ／Ｆ部１２４を介して受信してもよい。
【０１６９】
Ｂｌｕｅｔｏｏｔｈ（登録商標）制御部１２３によって音量のレベルを下げられた音声ストリームデータは、音声入出力制御部１０４においてデジタル信号からアナログ信号へ変換されスピーカ１２９，１３０から再生される。
【０１７０】
他方、呼制御部１１０が行う着信処理により着信鳴動音も音声入出力制御部１０４に入力され、デジタル信号からアナログ信号へ変換されスピーカ１２９，１３０から再生される。ここで、音声入出力制御部１０４は２つの音声（音声ストリームデータと着信鳴動音）を合成して出力する。結果、ＣＤＬ親機１００のスピーカ１２９，１３０からは、音量のレベルを下げられた音声ストリームデータと着信鳴動音との混合音声が再生される（Ｓ５０５）。
【０１７１】
同様に、Ｂｌｕｅｔｏｏｔｈ（登録商標）制御部１２３によって音量のレベルを下げられた音声ストリームデータは、ＣＤＬプロトコル制御部１０８により制御データと一緒に逐次フレーム化し無線信号として、ＣＤＬ無線Ｉ／Ｆ部１０７を介してＣＤＬ子機２００（２００Ａ、２００Ｂ）にブロードキャスト送信される。このため、ＣＤＬ子機２００（２００Ａ、２００Ｂ）においても音量のレベルを下げられた音声ストリームデータが音声入出力制御部１４３においてデジタル信号からアナログ信号へ変換され、増幅されて、スピーカ１５２から再生される。
【０１７２】
他方、呼制御部１１０が行う着信処理により着信の通知が無線信号としてＣＤＬ子機２００（２００Ａ、２００Ｂ）にブロードキャスト送信される（Ｓ５０６）。
【０１７３】
着信の通知を受けたＣＤＬ子機２００（２００Ａ、２００Ｂ）の子機制御部１４７は着信鳴動音を音声入出力制御部１０４に入力する。結果、ＣＤＬ子機２００（２００Ａ、２００Ｂ）のスピーカ１５２からは、音量のレベルを下げられた音声ストリームデータと着信鳴動音との混合音声が再生される（Ｓ５０７）。
【０１７４】
着信鳴動音を聞いたユーザがＣＤＬ子機２００Ａにおいて応答操作を行うと（Ｓ５０８）、ＣＤＬ子機２００Ａの子機制御部１４７は着信に対する応答をＣＤＬ無線Ｉ／Ｆ部１４８を介してＣＤＬ親機１００に発信する（Ｓ５０９）。
【０１７５】
ＣＤＬ子機２００Ａからの応答を受信したＣＤＬ親機１００は呼制御部１１０の制御により、固定電話回線インタフェース部１０１を介して、固定電話網４０に向けて応答を発信する（Ｓ５１０）。
【０１７６】
以降、一般的なコードレス電話機が行う呼制御動作により、ＣＤＬ子機２００Ａと着信元の他の電話機７０との間は通話中の状態となり、ＣＤＬ親機１００およびＣＤＬ子機２００Ｂの着信鳴動は停止する（Ｓ５１１）。
【０１７７】
ここで、ＣＤＬ親機１００およびＣＤＬ子機２００Ｂにおいては、着信鳴動は停止するものの、携帯型音楽プレーヤ３０からの音声ストリームデータの再生は継続するため、音量のレベルを下げられた音声ストリームデータをユーザが聴取し続けることが可能となる。
【０１７８】
通話を終えたユーザがＣＤＬ子機２００Ａにおいて終話操作を行うと（Ｓ５１２）、ＣＤＬ子機２００Ａの子機制御部１４７は終話を意味する切断をＣＤＬ無線Ｉ／Ｆ部１４８を介してＣＤＬ親機１００に発信する（Ｓ５１３）。
【０１７９】
ＣＤＬ子機２００Ａからの切断を受信したＣＤＬ親機１００は呼制御部１１０の制御により、固定電話回線インタフェース部１０１を介して、固定電話網４０に向けて切断を発信する（Ｓ５１４）。
【０１８０】
以降、一般的なコードレス電話機が行う呼制御動作により、ＣＤＬ子機２００Ａは待機中に戻る。
【０１８１】
呼制御部１１０から終話した旨の通知を受けた親機制御部１０９は、Ｂｌｕｅｔｏｏｔｈ（登録商標）制御部１２３を制御して携帯型音楽プレーヤ３０からの音声データを再度所定の音量に変換する（Ｓ５１５）。
【０１８２】
即ち、通話処理の期間が終わりユーザの着信応答を邪魔する心配が無くなったため、一時的に下げていた音声ストリームデータの再生音量を上げる（または、変換前に戻す）。
【０１８３】
よって、ＣＤＬ親機１００およびＣＤＬ子機２００（２００Ａ、２００Ｂ）において、音量のレベルを上げられた音声ストリームデータをユーザが聴取し続けることが可能となる。
【０１８４】
なお、図８において、ステップＳ５０２の局線着信によりステップＳ５０３の通話処理に入るように説明したが、ＣＤＬ親機１００またはＣＤＬ子機２００（２００Ａ、２００Ｂ）からの発信操作によっても、通話処理の期間は、Ｂｌｕｅｔｏｏｔｈ（登録商標）制御部１２３を制御して携帯型音楽プレーヤ３０からの音声データを所定の音量に変換してもよい。
【０１８５】
また、Ｂｌｕｅｔｏｏｔｈ（登録商標）制御部１２３が携帯型音楽プレーヤ３０からの音声データを所定の音量に変換するように説明したが、第１の実施形態で説明したように携帯型音楽プレーヤ３０を遠隔制御して携帯型音楽プレーヤ３０で音量を変換するようにしてもよい。
【０１８６】
また、ユーザが例えば第２の実施形態で説明したようにＣＤＬ子機２００ＡをステレオのＬ（左）（Ｒ（右））スピーカ、ＣＤＬ子機２００ＢをステレオのＲ（右）（Ｌ（左））スピーカとする外部スピーカとして利用していたときにＣＤＬ子機２００Ａにおいて応答操作を行った場合には、ＣＤＬ子機２００Ｂにはモノラル音声を出力するようにしてもよい。
【０１８７】
また、ＣＤＬ子機２００ＡとＣＤＬ子機２００Ｂとが別々の部屋に設置されており音声ストリームデータの再生を通常どおりの音量で行ってもお互いの通話を邪魔しない場合もある。この場合、子機制御部１４７は音量のレベルを下げられた音声ストリームデータの再生音量を、音声入出力制御部１４３を制御して増幅して上げる（または、変換前に戻す）ようにしてもよい。例えば、ＣＤＬ子機２００（２００Ａ、２００Ｂ）の設定において各々の配置情報を持たせておけば、子機制御部１４７は、この配置情報と一般的なコードレス電話機が行う呼制御動作により受け取る状態情報（通話中、着信中、他で着信中等）とから通話中等になった装置とは別の部屋に設置されているので継続して通常どおりの音量で再生しても通話を邪魔しないと判断できる。
【０１８８】
以上、本実施形態のコードレス電話装置によれば、携帯型音楽プレーヤ３０が音声データを再生する場合、ＣＤＬ親機１００のスピーカ１２９，１３０を外部スピーカとして使用できる。そのため、ユーザが専用の外部スピーカを購入して携帯型音楽プレーヤ３０に接続しなくても、ＣＤＬ親機１００のスピーカ１２９，１３０を用いて音声データを出力できる。
【０１８９】
また、ＣＤＬ親機１００のスピーカ１２９，１３０やＣＤＬ子機２００（２００Ａ、２００Ｂ）のスピーカ１５２を携帯型音楽プレーヤ３０が音声データを再生する場合の外部スピーカとして利用しているときに発着信があった場合には、再生音声の音量を小さくできる。このためユーザの着信応答を邪魔することがない。
【０１９０】
また、上記発着信があった場合に再生音声の音量を小さくした後、待機状態に戻ると再生音声の音量を大きく（または小さくする前の音量に）することができる。このためユーザの携帯型音楽プレーヤ３０からの音声データ聴取を邪魔することがない。
【０１９１】
また、携帯型音楽プレーヤ３０が音声データを再生する場合に、ＣＤＬ子機２００（２００Ａ、２００Ｂ）のスピーカ１５２を外部スピーカとして利用できる。
【０１９２】
更にＣＤＬ子機２００（２００Ａ、２００Ｂ）が複数台の場合には、例えばＣＤＬ子機２００ＡをステレオのＬ（左）（Ｒ（右））スピーカ、ＣＤＬ子機２００ＢをステレオのＲ（右）（Ｌ（左））スピーカとする外部スピーカとして利用することもできる。
【０１９３】
更にＣＤＬ子機２００（２００Ａ、２００Ｂ）は移動可能に設置できるため使い勝手の良いステレオシステムが簡単に実現できる。
【０１９４】
また、ＣＤＬ親機１００は、ＤＥＣＴのブロードキャスト技術により登録した全てのＣＤＬ子機２００（２００Ａ、２００Ｂ）に音声ストリームデータを転送できるので、コードレス電話装置は複雑な処理を組み込むことなく使い勝手の良いステレオシステムが簡単に実現できる。
【０１９５】
また、ＣＤＬ親機１００は、Ｂｌｕｅｔｏｏｔｈ（登録商標）制御部１２３が同期処理を行ったＬ（左）／Ｒ（右）の音声ストリームデータを順次ＤＥＣＴのブロードキャスト技術により転送するので左右の再生タイミングのずれが生ずることがない。このため左右の再生タイミングを合わせるためにわざわざＣＤＬ親機１００と全てのＣＤＬ子機２００（２００Ａ、２００Ｂ）との間で各々１対１に通話チャネルで接続するといった複雑でリソースも消費するような処理をコードレス電話装置はする必要がない。
【０１９６】
また、ＣＤＬ親機１００は、着信鳴動と同じく、鳴動対象（ＣＤＬ親機１００、ＣＤＬ子機２００（２００Ａ、２００Ｂ））を選択できるので、コードレス電話装置は複雑な処理を組み込むことなく使い勝手の良いステレオシステムが簡単に実現できる。
【０１９７】
また、携帯型音楽プレーヤ３０からの音声データが携帯型音楽プレーヤ３０のアラーム音であっても、ＣＤＬ子機２００（２００Ａ、２００Ｂ）において再生できる。このため例えば各部屋にＣＤＬ子機２００を設置しておけば、どの部屋にいても携帯型音楽プレーヤ３０のアラーム音を確認できる。
【０１９８】
また、ＣＤＬ子機２００ＡとＣＤＬ子機２００Ｂとが別々の部屋に設置されている場合には、他で着信中や他で通話中の状態であれば、継続して通常どおりの音量で音声を再生できる。このためＣＤＬ子機２００（２００Ａ、２００Ｂ）を外部スピーカとして利用する場合に更に使い勝手を良いものとすることができる。
【０１９９】
また、携帯型音楽プレーヤ３０からの音声データを再生する場合、携帯型音楽プレーヤ３０を遠隔操作するリモコンとして、ＣＤＬ子機２００を使用できる。ＣＤＬ子機２００は、例えば形状又はサイズの制約が少ないため、把持しやすく、操作性が良好である。従って、携帯型音楽プレーヤ３０の操作性が困難である場合でも、ＣＤＬ子機２００をリモコンとして使用するように連携することで、操作性を改善できる。
【０２００】
また、携帯型音楽プレーヤ３０の状態情報及び楽曲情報は、ＣＤＬ子機２００に転送できるので、ユーザは、ＣＤＬ子機２００を用いて、容易に音声データの遠隔操作を指示できる。
【０２０１】
また、例えば、ＣＤＬ親機１００と携帯型音楽プレーヤ３０との間は無線接続され、物理的に接続されなくてもよい。例えば、ユーザが各種操作（例えば、音量の調整、楽曲の選択、再生開始、再生停止の操作）を行う場合、ユーザは視聴している位置からＣＤＬ親機１００の近くまで移動して携帯型音楽プレーヤ３０を操作する必要がなく、操作性を向上できる。
【０２０２】
このように、携帯型音楽プレーヤ３０により音声データを再生する場合の携帯型音楽プレーヤ３０とＣＤＬ装置１０との連携を向上でき、快適な視聴環境を実現できる。
【０２０３】
なお、本発明は、上記実施形態の構成に限られるものではなく、特許請求の範囲で示した機能、または本実施形態の構成が持つ機能が達成できる構成であればどのようなものであっても適用可能である。
【０２０４】
例えば、上記実施形態では、リモコン画面を用いて、視覚的にＣＤＬ子機２００へのユーザ操作を補助することを例示したが、他の手段（例えば音声合成や音声認識）を用いてユーザ補助してもよい。
【産業上の利用可能性】
【０２０５】
本発明は、音楽再生装置により音声データを再生する場合の音楽再生装置とコードレス電話装置との連携、特に子機を有効活用した連携を向上できるコードレス電話装置及び制御方法等に有用である。
【符号の説明】
【０２０６】
１  コードレス電話システム（ＣＤＬシステム）
１０  コードレス電話装置（ＣＤＬ装置）
１００  コードレス電話親機（ＣＤＬ親機）
２００  コードレス電話子機（ＣＤＬ子機）
３０  携帯型音楽プレーヤ
４０  固定電話網
７０Ａ〜７０Ｊ  画面
１０１  固定電話回線Ｉ／Ｆ部
１０３，１４２  記憶部
１０４，１４３  音声入出力制御部
１０５，１４４  操作部
１０６，１４５  表示部
１０７，１４８  ＣＤＬ無線Ｉ／Ｆ部
１０８，１４９  ＣＤＬプロトコル制御部
１０９  親機制御部
１１０  呼制御部
１１１  子機リモコン制御部
１１２  音声ストリーム処理部
１１３  音楽プレーヤ制御部
１２１  無線ＬＡＮ制御部
１２２  無線ＬＡＮ通信Ｉ／Ｆ部
１２３  Ｂｌｕｅｔｏｏｔｈ（登録商標）制御部
１２４  Ｂｌｕｅｔｏｏｔｈ（登録商標）通信Ｉ／Ｆ部
１２５  留守番電話制御部
１２６  子機／携帯端末充電部
１２７  ＵＳＢ通信Ｉ／Ｆ部
１２８，１５１  マイクロホン
１２９，１３０，１５２  スピーカ
１４４ａ，１４４ｂ  ソフトキー
１４４ｃ  通話キー
１４４ｄ  終話キー
１４４ｅ  ナビキー
１４４ｆ  ダイヤルキー
１４７  子機制御部
１５０  充電池
【図１】
2015109537.tif 000003
【図２】
2015109537.tif 000004
【図３】
2015109537.tif 000005
【図４】
2015109537.tif 000006
【図５】
2015109537.tif 000007
【図６】
2015109537.tif 000008
【図７】
2015109537.tif 000009
【図８】
2015109537.tif 000010
【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
少なくとも１台のコードレス電話子機とコードレス電話親機とを含むコードレス電話装置であって、
前記コードレス電話親機は、音楽再生装置との間でデータを無線通信する第１の無線通信部と、
前記第１の無線通信部を介して前記音楽再生装置から受信した音声データを所定の音声品質に変換する音質変換部と、
前記コードレス電話子機との間でデータを無線通信する第２の無線通信部と、
前記音質変換部が出力する音声データを前記第２の無線通信部を介して前記コードレス電話子機へ送信するように動作する制御部と、
を備え、
前記音質変換部が変換する音声品質の情報と変換した音声データの送信先となる少なくとも１台の前記コードレス電話子機の情報とを組合せた設定情報に基づいて前記音声データの送信先となるコードレス電話子機に送信するコードレス電話装置。
【請求項２】
前記コードレス電話親機は、操作部、記憶部を更に備え、前記設定情報は前記操作部により入力され前記記憶部に記憶されることを特徴とする請求項１に記載のコードレス電話装置。
【請求項３】
前記コードレス電話親機は、記憶部を更に備え、前記設定情報は前記コードレス電話子機または前記音楽再生装置から受信して前記記憶部に記憶されることを特徴とする請求項１に記載のコードレス電話装置。
【請求項４】
前記音楽再生装置から受信する音声データは前記音楽再生装置のアラーム音であることを特徴とする請求項１から３のいずれか１項に記載のコードレス電話装置。
【請求項５】
少なくとも１台のコードレス電話子機とコードレス電話親機とを含むコードレス電話装置の制御方法であって、
音楽再生装置から受信した音声データを所定の音声品質に変換する音質変換ステップと、前記音質変換ステップによって出力される音声データを前記コードレス電話子機へ送信するステップと、
を備え、
前記音質変換ステップが変換する音声品質の情報と変換した音声データの送信先となる少なくとも１台の前記コードレス電話子機の情報とを組合せた設定情報に基づいて前記音声データの送信先となるコードレス電話子機に送信するコードレス電話装置の制御方法。
【手続補正２】
【補正対象書類名】明細書
【補正対象項目名】００１１
【補正方法】変更
【補正の内容】
【００１１】
本発明のコードレス電話装置は、少なくとも１台のコードレス電話子機とコードレス電話親機とを含むコードレス電話装置であって、前記コードレス電話親機は、音楽再生装置との間でデータを無線通信する第１の無線通信部と、前記第１の無線通信部を介して前記音楽再生装置から受信した音声データを所定の音声品質に変換する音質変換部と、前記コードレス電話子機との間でデータを無線通信する第２の無線通信部と、前記音質変換部が出力する音声データを前記第２の無線通信部を介して前記コードレス電話子機へ送信するように動作する制御部と、を備え、前記音質変換部が変換する音声品質の情報と変換した音声データの送信先となる少なくとも１台の前記コードレス電話子機の情報とを組合せた設定情報に基づいて前記音声データの送信先となるコードレス電話子機に送信する。
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
少なくとも１台のコードレス電話子機とコードレス電話親機とを含むコードレス電話装置であって、
前記コードレス電話親機は、音楽再生装置との間でデータを無線通信する第１の無線通信部と、
前記第１の無線通信部を介して前記音楽再生装置から受信した音声データを所定の音声品質に変換する音質変換部と、
前記コードレス電話子機との間でデータを無線通信する第２の無線通信部と、
前記音質変換部が出力する音声データを前記第２の無線通信部を介して前記コードレス電話子機へ送信するように動作する制御部と、
を備え、
前記音質変換部が変換する音声品質の情報と、変換した音声データの送信先となる前記コードレス電話親機の情報と、前記コードレス電話子機の情報と、からなる複数の組合せを含む設定情報から選択された１つの組合せに基づいて前記音声データの送信先に前記変換した音声データを送信するコードレス電話装置。
【請求項２】
前記コードレス電話親機は、操作部、記憶部を更に備え、前記設定情報は前記操作部により入力され前記記憶部に記憶されることを特徴とする請求項１に記載のコードレス電話装置。
【請求項３】
前記コードレス電話親機は、記憶部を更に備え、前記設定情報は前記コードレス電話子機または前記音楽再生装置から受信して前記記憶部に記憶されることを特徴とする請求項１に記載のコードレス電話装置。
【請求項４】
前記音楽再生装置から受信する音声データは前記音楽再生装置のアラーム音であることを特徴とする請求項１から３のいずれか１項に記載のコードレス電話装置。
【請求項５】
少なくとも１台のコードレス電話子機とコードレス電話親機とを含むコードレス電話装置の制御方法であって、
音楽再生装置から受信した音声データを所定の音声品質に変換する音質変換ステップと、前記音質変換ステップによって出力される音声データを前記コードレス電話子機へ送信するステップと、
を備え、
前記音質変換ステップが変換する音声品質の情報と、変換した音声データの送信先となる前記コードレス電話親機の情報と、前記コードレス電話子機の情報と、からなる複数の組合せを含む設定情報から選択された１つの組合せに基づいて前記音声データの送信先に前記変換した音声データを送信するコードレス電話装置の制御方法。
【手続補正２】
【補正対象書類名】明細書
【補正対象項目名】００１１
【補正方法】変更
【補正の内容】
【００１１】
本発明のコードレス電話装置は、少なくとも１台のコードレス電話子機とコードレス電話親機とを含むコードレス電話装置であって、前記コードレス電話親機は、音楽再生装置との間でデータを無線通信する第１の無線通信部と、前記第１の無線通信部を介して前記音楽再生装置から受信した音声データを所定の音声品質に変換する音質変換部と、前記コードレス電話子機との間でデータを無線通信する第２の無線通信部と、前記音質変換部が出力する音声データを前記第２の無線通信部を介して前記コードレス電話子機へ送信するように動作する制御部と、を備え、前記音質変換部が変換する音声品質の情報と、変換した音声データの送信先となる前記コードレス電話親機の情報と、前記コードレス電話子機の情報と、からなる複数の組合せを含む設定情報から選択された１つの組合せに基づいて前記音声データの送信先に前記変換した音声データを送信する。